(57)【要約】【課題】スライドスイッチの誤操作を防止する。【解決手段】レンズ駆動装置１０の上部には、変倍操作用のシーソースイッチ２０と、アイリスのモードを切り替えるオート／マニュアル切替スイッチ２１が設けられている。シーソースイッチ２０は、光軸１８に直交する軸を中心に揺動する。オート／マニュアル切替スイッチ２１は、光軸１８と略平行な方向にスライドする。レンズ駆動装置１０をグリップするときには、右手の親指以外の指をグリップベルト２４に通し、右手親指を録画スイッチ２７の左横に設けた隆起部２９に添えておく。アイリスのオート／マニュアル切替スイッチ２１は、グリップする右手の指が動く方向とスイッチ２１の操作方向とが異なるため、誤操作が行われ難い。【選択図】図２
2010113135.tif 000002
【特許請求の範囲】
【請求項１】
撮影レンズを保持するレンズ鏡胴の側部に着脱自在に取り付けられ、撮影光軸に直交する軸を中心に揺動する変倍操作用のシーソースイッチを備えたレンズ駆動装置において、
前記シーソースイッチに対して前記揺動する方向の前又は後に、前記撮影光軸と略平行な方向にスライド操作されるスライドスイッチを設けたことを特徴とするレンズ駆動装置。
【請求項２】
前記スライドスイッチは、前記シーソースイッチが揺動する域内の高さで突出している台座面部に設けられていることを特徴とする請求項１記載のレンズ駆動装置。
【請求項３】
前記スライドスイッチは、アイリスのモードをオートとマニュアルとのいずれか一方のモードに切り替えるスイッチになっていることを特徴とする請求項１又は２記載のレンズ駆動装置。
【発明の詳細な説明】
【技術分野】
【０００１】
本発明は、変倍用モータの駆動を利用して撮影レンズの変倍レンズを光軸方向に移動させるレンズ駆動装置に関し、さらに詳しくは、可変抵抗器を内蔵するズームシーソーコントロールスイッチ（以下、「シーソースイッチ）と称す。）を備えたレンズ駆動装置に関する。
【背景技術】
【０００２】
ＥＮＧレンズには、レンズ鏡胴の側部にドライブユニットと呼ばれるレンズ駆動装置が取り付けられる。このレンズ駆動装置は、右手でグリップしたときに手のひらになじむように略卵型をしており、親指が掛かる位置に録画スタート／ストップボタンが、また、中指と薬指が掛かる位置にシーソースイッチがそれぞれ設けられている。
【０００３】
シーソースイッチの前側には、アイリスのオート／マニュアルモード切替スイッチが設けられている。このオート／マニュアルモード切替スイッチをオートモードに切り替えると、テレビカメラから得られる信号に基づいてアイリス用モータが駆動してその駆動がレンズ鏡胴に設けたアイリスリングに伝達されてレンズ鏡胴の絞りが所定の絞り径に調節される。マニュアルモードに切り替えると、アイリスリングを手動で操作することができる。従来、オート／マニュアルモード切替スイッチは、レンズ鏡胴の撮影光軸に対して略直交する方向にスライド操作をすることでモードが切り替わるようになっている（特許文献１，特許文献２）。
【０００４】
従来、レンズ駆動装置は、レンズ鏡胴の右側部に取り付けられる。このため、右手でグリップし易いように卵形状をしているグリップ部をもっている。また、ＥＮＧカメラは、報道カメラマンが肩に乗せて撮影を行うときと、三脚に設置して撮影を行う場合がある。いずれの場合もレンズ駆動装置のグリップ部を右手で握り、右手の中指と人差し指もしくは薬指でシーソースイッチを揺動して変倍操作を行い、右手親指で録画ボタンのＯＮ−ＯＦＦの操作を行う。しかも、左手でフォーカスリングを回転してフォーカス調節を行っている。このようにレンズ駆動装置をグリップしながら両手の指で各スイッチやリングを操作すると、指の力でレンズ鏡胴が動いてしまい、不安定な映像になってしまう。このため、レンズ駆動装置はグリップベルトで右手の親指以外をレンズ駆動装置との間で固定するようにしていた。
【特許文献１】特開平８−９２０７号公報
【特許文献２】特開平１１−１０１９３２号公報
【発明の開示】
【発明が解決しようとする課題】
【０００５】
しかしながら、右手の親指以外の指は、グリップベルトに通していても撮影光軸を中心とする周方向、すなわち、撮影光軸に対して直交する方向に動き易い。このため、グリップベルトに右手を通すとき、また、左手でフォーカスリングを回したり、右手中指及び薬指でシーソースイッチを操作するときに、グリップする右手の指が撮影光軸に対して直交する方向に動いて、アイリスのオート／マニュアルスイッチを誤操作するおそれがあった。アイリスのオート／マニュアルスイッチを誤操作すると、映像の明るさが極端に変わる不都合が生じる。
【０００６】
本発明はこのような事情に鑑みてなされたもので、スライドスイッチの誤操作を防止することができるレンズ駆動装置を提供することを目的とする。
【課題を解決するための手段】
【０００７】
本発明は、前記目的を達成するために、シーソースイッチに対して揺動する方向の前又は後に、撮影光軸と略平行な方向にスライド操作されるスライドスイッチを設けたものである。スライドスイッチのスライド方向としては、撮影光軸と略平行な方向としているが、平面から見て撮影光軸に対して±３０度の範囲内で傾いた軸線方向に平行な方向としてもよい。すなわち、グリップする右手の親指以外の指の遊び、あるいは動き方向とは異なる方向であればよい。スライドスイッチとしては、アイリスのオート／マニュアル切替スイッチに限ることなく、例えば、フォーカスをオートモードとマニュアルモードに切替るフォーカスのオート／マニュアル切替スイッチ等でもよい。
【０００８】
スライドスイッチがシーソースイッチの出入口となる開口部の縁から高い位置にあると、変倍操作をしながら、スライドスイッチの操作が簡便に行える。そこで、シーソースイッチが揺動する域内の高さで突出している台座面部にスライドスイッチを設けるのが望ましい。
【発明の効果】
【０００９】
本発明によれば、スライドスイッチのスライド操作の方向がグリップする右手の親指以外の指の遊び、あるいは動き方向とは異なるため、誤操作を確実に防止することができる。
【発明を実施するための最良の形態】
【００１０】
レンズ駆動装置１０は、図１に示すように、グリップがし易いようにケース本体１１の外面１２が卵を横に寝かせた面形状に、また内面１３がテレビカメラ用のレンズ鏡胴１４の側面に沿う凹面にそれぞれなっており、前記内面１３が前記側面にビス等の固着手段により着脱自在に固定される。
【００１１】
レンズ鏡胴１４の周面には、フォーカスリング１５、ズームリング１６、及びアイリスリング１７が回転自在に設けられている。なお、レンズ鏡胴１４は、後側にレンズマウントが設けられており、レンズマウントを可介して周知のビデオテープレコーダー付きテレビカメラに着脱自在に取り付けられる。また、レンズ駆動装置１０とテレビカメラとは、着脱自在なケーブルに接続され、これらの間で各種信号の授受が行われる。
【００１２】
フォーカスリング１５、ズームリング１６、及びアイリスリング１７には、周面に歯列が形成されており、これら歯列には、レンズ駆動装置１０の内面（レンズ鏡胴に対向する面）に露呈して設けた３つの連結ギヤ（図示なし）が個別に噛合する。レンズ駆動装置１０には、フォーカス用モータ、ズーム用モータ、及びアイリス用モータとの３つのモータが内蔵されている。３つのモータの駆動は、ギヤ列等の駆動伝達機構を介して前記３つの連結ギヤに個別に伝達され、フォーカスリング１５、ズームリング１６、及びアイリスリング１７を個別に回動させる。
【００１３】
レンズ鏡胴１４は、フォーカスリング１５の回動によりフォーカスレンズ群を光軸１８の方向に沿って移動してピント調節を行い、またズームリング１６を回動することにより、変倍レンズ群が光軸１８の方向に沿って移動してズーム調整を行う。さらに、アイリスリング１７を回動することにより絞り径を調節することができる。
【００１４】
ケース本体１１の上面には、ズームシーソーコントロールスイッチ（シーソースイッチ）２０、アイリスのオート／マニュアル切替スイッチ２１、アイリスオートボタン２２、リターンスイッチ２３等が光軸１８と略平行な方向に一列に並べて設けられている。
【００１５】
リターンスイッチ２３は、シーソースイッチ２０に対して光軸１８方向の後方に配されている押しボタンスイッチであり、オンエア中の画面や他のカメラで撮影している画面をテレビカメラに設けたビューファインダに表示させる。このリターンスイッチを押す毎に、外部からの映像の表示と、自己の撮影映像の表示とが切り換えられる。
【００１６】
アイリスオートボタン２２は、シーソースイッチ２０に対して光軸１８方向の前方に配されている押しボタンスイッチであり、アイリスをマニュアルモードに設定しているときに押している瞬間だけオートに切り替えるためのボタンである。なお、スライドスイッチであるアイリスのオート／マニュアル切替スイッチ２１をシーソースイッチ２０の後方に配置してもよい。
【００１７】
アイリスのオート／マニュアル切替スイッチ２１は、アイリスオートボタン２２を挟んでシーソースイッチ２０とは逆側に設けられており、光軸１８と略平行な方向に沿ってスライド操作することで、アイリス調節のモードをオートとマニュアルとのいずれか一方のモードに切り替える切替スイッチである。
【００１８】
シーソースイッチ２０は、光軸１８に略直交する軸を中心として中立位置を基準に揺動自在に設けられており、上面のうちの光軸１８方向の前方に設けられているテレ側凸部２０ａ、後方に設けられているワイド側凸部２０ｂ、及びこれらの間に設けられている円弧状の谷部２０ｃを有している。
【００１９】
テレ側凸部２０ａを押し込むと、シーソースイッチ２０が軸（図５参照）３１を中心に時計方向に回転してレンズ鏡胴１４がテレ（Ｔ）側に向けて変倍し、逆にワイド側凸部２０ｂを押し込むと、シーソースイッチ２０が軸（図５参照）３１を中心に反時計方向に回転してレンズ鏡胴１４がワイド（Ｗ）側に向けて変倍する。また、シーソースイッチ２０の押し込み量（操作量）によって変倍スピードを調整することができ、その押し込み量が大きいほど変倍スピードが高速になる。
【００２０】
ケース本体１１の外面には、図２に示すように、光軸１８方向の前・後にグリップバンド２４を取り付けるためのベルト通し穴２５，２６がそれぞれ設けられている。カメラマンはグリップバンド２４の中に右手（親指以外の４本の指）を挿入してレンズ鏡胴１４を手のひらで保持することができる。また、ケース本体１１の後面には、録画スイッチ２７が設けられている。この録画スイッチ２７は、カメラマンがグリップする右手の親指の掛かる位置に配されており、撮影中の映像をビデオテープやメモリ等の記録媒体に記録（録画）するときの録画開始／終了を操作するための押しボタンスイッチである。
【００２１】
図３に示すように、ケース本体１１の背面２８から一段凹込んだ面２８ａには、円形開口２８ｂが設けられている。この円形開口２８ｂに録画スイッチ２７が露呈している。録画スイッチ２７には、親指で押す押圧部２７ａを備えている。押圧部２７ａは断面蒲鉾状に形成され、円形開口２８ｂから突出している。図４に示すように、円形開口２８ｂの左横から真下までの範囲、すなわち、右手親指を手のひらから離したときに位置する範囲には、右手親指を待機しておくための隆起部２９が円形開口２８ｂから盛り上がって形成されている。隆起部２９は、録画スイッチ２７の押圧部２７ａから親指をスムーズに移動することができるように、押圧部２７ａの曲面を仮想的に延ばした仮想線に沿った高さになっている。また、隆起部２９には、親指を置く位置を指の触感で認識させるために、表面に小径あるいは微細な凹部２９ａが複数設けられている。なお、凹部２９ａの代わりに凸部でもよい。
【００２２】
シーソースイッチ２０は、図５に示すように、保持部材３０に保持されている。保持部材３０は、光軸１８に対して略直交する軸３１を有しており、ケース本体１１の内部に固定されている。軸３１は、前述したようにシーソースイッチ２０を揺動自在に支持する。軸３１の周りには、ねじりバネ３２が取り付けられている。ねじりバネ３２は、シーソースイッチ２０を揺動範囲の中間となる中立位置に付勢している。なお、保持部材３０には、シーソースイッチ２０の一部に当接して揺動範囲を規制するための一対のストッパー４０，４１が設けられている。
【００２３】
ケース本体１１の上部は、凸を上方に向けた湾曲面１１ａとなっており、この湾曲面１１ａには、光軸１８方向に長い開口部４５が形成されている。この開口部４５には、前台座部４６、シーソースイッチ２０、及び、後台座部４７が光軸１８と略平行な方向に一列に並んで突出して配されている。前台座部４６は、ケース本体１１の内部に固定される固定部４８と、前記開口部４５よりも一段突出した位置に形成されている台座面部４９とを有し、内部には基板５０が取り付けられている。基板５０には、アイリスのオート／マニュアル切替スイッチ２１、及びアイリスオートボタン２２が取り付けられている。これらアイリスのオート／マニュアル切替スイッチ２１、及びアイリスオートボタン２２は、台座面部４９に設けた長穴開口５３、及び開口５４からそれぞれ露呈している。
【００２４】
アイリスのオート／マニュアル切替スイッチ２１、及びアイリスオートボタン２２は、台座面部４９のうちのシーソースイッチ２０に最も接近する端部４９ａから離れた位置に配されている。そして、台座面部４９のうちの前記端部４９ａからアイリスオートボタン２２までの間の空きスペースが、シーソースイッチ２０のテレ側凸部２０ａを押し込む指の一部を支持するための前支持部５５として使用される。
【００２５】
後台座部４７は、ケース本体１１の内部に固定される固定部５６、前記開口部４５よりも一段突出する一段目台座面部５７、この一段目台座面部５７よりもさらに一段突出する二段目台座面部５８を有し、内部には、保持部材３０から突出した腕部３０ａに設けた基板５９が入り込む。基板５９には、リターンスイッチ２３が取り付けられており、リターンスイッチ２３は、一段目台座面部５７に設けた開口６０から露呈する。一段目台座面部５７は外面側（図５において手前側）に設けられており、二段目台座面部５８は内面側（図５において奧側）に設けられている。この二段目台座面部５８のうちのシーソースイッチ２０側の端が、ワイド側凸部１７ｂを押し込む指の一部を支持するための後支持部として使用される。
【００２６】
前・後支持部５５，５８は、開口部４５に対する高さが略同じになっている。この高さとしては、シーソースイッチ２０の揺動ストロークの略半分に相当する高さが望ましい。前・後支持部５５，５８を前述した高さにすることで、シーソースイッチ２０を操作しながらアイリスのオート／マニュアル切替スイッチ２１、アイリスオートボタン２２、及びリターンスイッチ２３のスライド操作、又は押し操作を簡便に行える。しかも、アイリスのオート／マニュアル切替スイッチ２１は、グリップした右手の遊び、あるいは動く方向とは異なる方向、すなわち、光軸１８と略平行な方向にスライドするスイッチであるので、誤操作を確実に防止することができる。
【００２７】
レンズ鏡胴１４には、図６に示すように、前方から順に、フォーカスレンズ群６５、ズームレンズ群６６、アイリス（絞り機構）６７、及びリレーレンズ群６８等からなる撮影レンズが配設されている。各レンズ群６５，６６，６８は、一枚、又は複数枚のレンズ部材で構成されている。
【００２８】
撮影レンズを通過した被写体光は、テレビカメラ６９の撮像素子７０に結像され、撮像素子により電気信号に変換される。撮像素子から出力された画像信号は、図示していない信号処理回路において所定の処理が施された後に、ビューファインダーや映像出力端子等へと送出される。また、テレビカメラで得られた映像信号を基に演算されたフォーカス制御信号やアイリス制御信号は、レンズ駆動装置１０の制御部７２に送られる。
【００２９】
レンズ駆動装置１０は、フォーカス駆動手段７３、ズーム駆動手段７４、アイリス駆動手段７５、及びこれら駆動手段を制御する制御部７２、並びに操作部７１を備えている。操作部７１は、図１及び図２で説明したシーソースイッチ２０、アイリスのオート／マニュアル切替スイッチ２１、リターンスイッチ２３、及び録画スイッチ２７等を含む。
【００３０】
フォーカス駆動手段７３は、フォーカス駆動用モータ（図示なし）を含み、テレビカメラ６９又はレンズ駆動装置１０に接続されるフォーカスデマンド（不図示）の操作に応じて制御部７２によって駆動制御される。フォーカス駆動手段７３の駆動力がフォーカスリング１５に伝達され、フォーカスリング１５が回転すると、その回転力がギヤ列等の動力伝達機構（図示なし）を介してフォーカスレンズ群６５に伝えられ、フォーカスレンズ群６５が光軸１８に沿って前後移動してフォーカス調節が行われる。
【００３１】
フォーカス駆動手段７３には、ポテンショメータ７６が取り付けられている。ポテンショメータ７６は、フォーカスレンズ群６５の位置を検出する検出手段として用いられる。ポテンショメータ７６の検出信号は、Ａ／Ｄ変換器（図示なし）を介して制御部７２にフィードバックされる。
【００３２】
ズーム駆動手段７４は、ズーム駆動用モータ（図示なし）を含み、シーソースイッチ２０の操作に応じて制御部７２によって駆動制御される。ズーム駆動手段７４の駆動力がズームリング１６に伝達され、ズームリング１６が回転すると、その回転力がギヤ列等の動力伝達機構（図示なし）（図示なし）を介してズームレンズ群６６に伝えられ、ズームレンズ群６６が光軸１８に沿って互いに近づく方向又は離れる方向に移動して、倍率調整が行われる。ズーム駆動手段７４には、ポテンショメータ７７が取り付けられている。ポテンショメータ７７は、ズーム位置を検出する検出手段として用いられる。ポテンショメータ７７の検出信号は、Ａ／Ｄ変換器（図示なし）を介して制御部７２にフィードバックされ、ズーム端での駆動停止制御等に用いられる。
【００３３】
アイリス駆動手段７５は、アイリス駆動用モータ（図示なし）を含み、アイリスのオート／マニュアル切替スイッチ２１、アイリスオート２２から得られる各信号は制御部７２からテレビカメラ６９に送られる。テレビカメラ６９は、レンズ駆動装置１０から得られる信号に基づいてアイリスのオート／マニュアルのモードを切り替えて撮像する。制御部７２は、撮像中にテレビカメラ６９から供給されるアイリスオートの制御信号に応じてアイリス駆動手段７５を駆動制御する。
【００３４】
アイリス駆動手段７５の駆動力がアイリスリング１７に伝達され、アイリスリング１７が回転すると、その回転力がギヤ列等の動力伝達機構（図示なし）を介してアイリス６７に伝えられ、絞り羽根が拡縮動作する。アイリス駆動手段７５には、ポテンショメータ７８が取り付けられている。ポテンショメータ７８はアイリス位置の検出手段として用いられ、ポテンショメータ７８の検出信号は、Ａ／Ｄ変換器（図示なし）を介して制御部７２にフィードバックされる。アイリスをマニュアルモードにしている場合には、手動によりアイリスリング１７を回転して所望する絞り径を選択する。
【００３５】
制御部７２は、中央演算処理装置（ＣＰＵ）とその周辺回路を含むブロックであり、操作部７１、及びテレビカメラ６９から入力する信号に基づいて、前記各駆動手段７３，７４，７５の動作を制御する。
【００３６】
次に上記構成の作用を簡単に説明する。略円筒状をしたレンズ鏡胴１４は、略矩形状をしたテレビカメラ６９の前に取り付けられている。レンズ駆動装置１０は、レンズ鏡胴１４の右側部に取り付けられている。レンズ駆動装置１０をグリップするときには、右手の親指以外の指をグリップベルト２４に通し、右手親指を録画スイッチ２７の横の隆起部２９に添えておく。
【００３７】
操作は、グリップした右手の中指及び薬指でシーソースイッチ２０を揺動して変倍操作を行い、右手親指で録画スイッチ２７のＯＮ−ＯＦＦの操作を行う。そして、左手でフォーカスリング１５を回転してフォーカス調節を行う。
【００３８】
シーソースイッチ２０の揺動操作、あるいはフォーカスリング１５の回転操作のときに、右手の親指以外の指がレンズ鏡胴１４の周方向、すなわち光軸１８に対して直交する方向に動き易い。このように動くと、従来技術で説明した光軸１８に直交する方向にスライドするスライドスイッチでは、グリップする右手の指が動く方向とスイッチのスライド方向とが同じであるため、スライドスイッチの誤操作が生じ易いのに対し、本実施形態のスライドスイッチとなっているアイリスのオート／マニュアル切替スイッチ２１は、光軸１８と略平行な方向にスライドするスイッチであるため、グリップする右手の指が動く方向とスイッチの操作方向とが同じではなく、よって誤操作が行われ難い。さらに、オート／マニュアル切替スイッチ２１は、開口部４５よりも一段突出した位置に設けた台座面部４９に形成されているため、指が台座面部４９に当たって、より誤動作が行われ難い。
【００３９】
録画を開始するときには、録画スイッチ２７をＯＮする。隆起部２９が、押圧部２７ａの曲面を仮想的に延ばした仮想線に沿った高さになっているので、親指を隆起部２９から録画スイッチ２７に迅速に動かすことができる。
【００４０】
また、上記各実施形態では、テレビカメラ用のレンズ鏡胴１４の側部に着脱自在に取り付けられるレンズ駆動装置１０として説明しているが、本発明ではこれに限らず、テレビカメラや電子カメラ、あるいはビデオカメラ等に、シーソースイッチやスライドスイッチを一体に設けてなるレンズ駆動装置にも適用することができる。
【図面の簡単な説明】
【００４１】
【図１】本発明のレンズ駆動装置をレンズ鏡胴に取り付けた使用状態を示す斜視図である。
【図２】レンズ駆動装置を背面側から見た斜視図である。
【図３】録画ボタンを示す要部断面図である。
【図４】録画ボタンを配したレンズ駆動装置の背面図である。
【図５】レンズ駆動装置のスイッチ群の内部構造を示す断面図である。
【図６】レンズ鏡胴、レンズ駆動装置、及びカメラ本体の電気的構成の概略を示す説明図である。
【符号の説明】
【００４２】
１０  レンズ駆動装置
１４  レンズ鏡胴
２０  シーソースイッチ
２１  アイリスのオート／マニュアル切替スイッチ
２７  録画ボタン
２９  隆起部
【図１】
2010113135.tif 000003
【図２】
2010113135.tif 000004
【図３】
2010113135.tif 000005
【図４】
2010113135.tif 000006
【図５】
2010113135.tif 000007
【図６】
2010113135.tif 000008